【手続補正書】
【提出日】平成18年2月16日(2006.2.16)
【手続補正１】
【補正対象書類名】明細書
【補正対象項目名】発明の名称
【補正方法】変更
【補正の内容】
【発明の名称】画像処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】  所定の枚数の第１の静止画像を記憶可能な第１の記憶媒体、および所定の枚数の第２の静止画像を記憶可能な第２の記憶媒体が装着され、表示装置に前記第１の記憶媒体に記憶された前記第１の静止画像または前記第２の記憶媒体に記憶された前記第２の静止画像を表示させる画像処理装置において、
装着されている前記第１の記憶媒体から、記憶されている前記第１の静止画像の枚数を読み出す第１の読み出し手段と、
装着されている前記第２の記憶媒体から、記憶されている前記第２の静止画像の枚数を読み出す第２の読み出し手段と、
前記第１の記憶媒体が装着されたとき、前記第１の記憶媒体に対応する第１のアイコンおよび前記第１の静止画像の枚数を表示させる信号を出力し、前記第２の記憶媒体が装着されたとき、前記第２の記憶媒体に対応する第２のアイコンおよび前記第２の静止画像の枚数を表示させる信号を出力する出力手段と
を含むことを特徴とする画像処理装置。
【請求項２】  前記第１の記憶媒体は、ＰＣカードである
ことを特徴とする請求項１に記載の画像処理装置。
【請求項３】  前記第１の記憶媒体は、メモリースティックである
ことを特徴とする請求項１に記載の画像処理装置。
【請求項４】  前記第１の読み出し手段は、装着されている前記第１の記憶媒体から、前記第１の静止画像の圧縮率を読み出し、
前記第２の読み出し手段は、装着されている前記第２の記憶媒体から、前記第２の静止画像の圧縮率を読み出し、
前記出力手段は、前記第１の記憶媒体が装着されたとき、前記第１の静止画像の圧縮率を表示させる信号を出力し、前記第２の記憶媒体が装着されたとき、前記第２の静止画像の圧縮率を表示させる信号を出力する
ことを特徴とする請求項１に記載の画像処理装置。
【請求項５】  所定の枚数の第１の静止画像を記憶可能な第１の記憶媒体、および所定の枚数の第２の静止画像を記憶可能な第２の記憶媒体が装着され、表示装置に前記第１の記憶媒体に記憶された前記第１の静止画像または前記第２の記憶媒体に記憶された前記第２の静止画像を表示させる画像処理装置の画像処理方法において、
装着されている前記第１の記憶媒体から、記憶されている前記第１の静止画像の枚数を読み出す第１の読み出しステップと、
装着されている前記第２の記憶媒体から、記憶されている前記第２の静止画像の枚数を読み出す第２の読み出しステップと、
前記第１の記憶媒体が装着されたとき、前記第１の記憶媒体に対応する第１のアイコンおよび前記第１の静止画像の枚数を表示させる信号を出力し、前記第２の記憶媒体が装着されたとき、前記第２の記憶媒体に対応する第２のアイコンおよび前記第２の静止画像の枚数を表示させる信号を出力する出力ステップと
を含むことを特徴とする画像処理方法。
【請求項６】  所定の枚数の第１の静止画像を記憶可能な第１の記憶媒体、および所定の枚数の第２の静止画像を記憶可能な第２の記憶媒体が装着され、表示装置に前記第１の記憶媒体に記憶された前記第１の静止画像または前記第２の記憶媒体に記憶された前記第２の静止画像を表示させる画像処理装置に、
装着されている前記第１の記憶媒体から、記憶されている前記第１の静止画像の枚数を読み出す第１の読み出しステップと、
装着されている前記第２の記憶媒体から、記憶されている前記第２の静止画像の枚数を読み出す第２の読み出しステップと、
前記第１の記憶媒体が装着されたとき、前記第１の記憶媒体に対応する第１のアイコンおよび前記第１の静止画像の枚数を表示させる信号を出力し、前記第２の記憶媒体が装着されたとき、前記第２の記憶媒体に対応する第２のアイコンおよび前記第２の静止画像の枚数を表示させる信号を出力する出力ステップと
を含む処理を実行させるコンピュータが読み取り可能なプログラムを記録していることを特徴とする記録媒体。
【手続補正３】
【補正対象書類名】明細書
【補正対象項目名】０００１
【補正方法】変更
【補正の内容】
【０００１】
【発明の属する技術分野】
本発明は、画像処理装置および方法、並びに記録媒体に関し、特に、複数の記憶媒体を装着し、複数の記憶媒体に画像を記憶させ、複数の記憶媒体から画像を読み出す画像処理装置および方法、並びに記録媒体に関する。
【手続補正４】
【補正対象書類名】明細書
【補正対象項目名】０００６
【補正方法】変更
【補正の内容】
【０００６】
【課題を解決するための手段】
請求項１に記載の画像処理装置は、装着されている第１の記憶媒体から、記憶されている第１の静止画像の枚数を読み出す第１の読み出し手段と、装着されている第２の記憶媒体から、記憶されている第２の静止画像の枚数を読み出す第２の読み出し手段と、第１の記憶媒体が装着されたとき、第１の記憶媒体に対応する第１のアイコンおよび第１の静止画像の枚数を表示させる信号を出力し、第２の記憶媒体が装着されたとき、第２の記憶媒体に対応する第２のアイコンおよび第２の静止画像の枚数を表示させる信号を出力する出力手段とを含むことを特徴とする。
【手続補正５】
【補正対象書類名】明細書
【補正対象項目名】０００７
【補正方法】変更
【補正の内容】
【０００７】
請求項５に記載の画像処理方法は、装着されている第１の記憶媒体から、記憶されている第１の静止画像の枚数を読み出す第１の読み出しステップと、装着されている第２の記憶媒体から、記憶されている第２の静止画像の枚数を読み出す第２の読み出しステップと、第１の記憶媒体が装着されたとき、第１の記憶媒体に対応する第１のアイコンおよび第１の静止画像の枚数を表示させる信号を出力し、第２の記憶媒体が装着されたとき、第２の記憶媒体に対応する第２のアイコンおよび第２の静止画像の枚数を表示させる信号を出力する出力ステップとを含むことを特徴とする。
【手続補正６】
【補正対象書類名】明細書
【補正対象項目名】０００８
【補正方法】変更
【補正の内容】
【０００８】
請求項６に記載の記録媒体は、画像処理装置に、装着されている第１の記憶媒体から、記憶されている第１の静止画像の枚数を読み出す第１の読み出しステップと、装着されている第２の記憶媒体から、記憶されている第２の静止画像の枚数を読み出す第２の読み出しステップと、第１の記憶媒体が装着されたとき、第１の記憶媒体に対応する第１のアイコンおよび第１の静止画像の枚数を表示させる信号を出力し、第２の記憶媒体が装着されたとき、第２の記憶媒体に対応する第２のアイコンおよび第２の静止画像の枚数を表示させる信号を出力する出力ステップとを含む処理を実行させるコンピュータが読み取り可能なプログラムを記録していることを特徴とする。
【手続補正７】
【補正対象書類名】明細書
【補正対象項目名】０００９
【補正方法】変更
【補正の内容】
【０００９】
請求項１に記載の画像処理装置、請求項５に記載の画像処理方法、および請求項６に記載の記録媒体においては、装着されている第１の記憶媒体から、記憶されている第１の静止画像の枚数が読み出され、装着されている第２の記憶媒体から、記憶されている第２の静止画像の枚数が読み出され、第１の記憶媒体が装着されたとき、第１の記憶媒体に対応する第１のアイコンおよび第１の静止画像の枚数を表示させる信号が出力され、第２の記憶媒体が装着されたとき、第２の記憶媒体に対応する第２のアイコンおよび第２の静止画像の枚数を表示させる信号が出力される。
【手続補正８】
【補正対象書類名】明細書
【補正対象項目名】０１１５
【補正方法】変更
【補正の内容】
【０１１５】
【発明の効果】
請求項１に記載の画像処理装置、請求項５に記載の画像処理方法、および請求項６に記載の記録媒体によれば、装着されている第１の記憶媒体から、記憶されている第１の静止画像の枚数が読み出され、装着されている第２の記憶媒体から、記憶されている第２の静止画像の枚数が読み出され、第１の記憶媒体が装着されたとき、第１の記憶媒体に対応する第１のアイコンおよび第１の静止画像の枚数を表示させる信号が出力され、第２の記憶媒体が装着されたとき、第２の記憶媒体に対応する第２のアイコンおよび第２の静止画像の枚数を表示させる信号が出力されるようにしたので、複数の記憶媒体を装着する画像処理装置において、それぞれの記憶媒体に記憶されている画像の枚数または画像の圧縮率などを知ることができるようになる。
ようになる。